(57)【要約】      （修正有）【課題】ファッション性に優れ、高級感がある携帯電話用ストラップを提供する。【解決手段】携帯電話用ストラップにおいて、天然石と金属の装飾品で構成され、ワイヤー３に天然石ビーズ４，４’・他のパーツ等を通し、トップに金属の装飾品等を取り付け、華やかさを出している。以上のように、本携帯電話用天然石付きストラップは、ファッション性に優れ高級感を有する。若いおしゃれな女性や男性に最適であり、プレゼントにも喜ばれるような高級感を醸し出すという効果がある。【選択図】図１
0003165217.tif 000002
【実用新案登録請求の範囲】
【請求項１】
天然石と金属の装飾品で構成されていることを特徴とする天然石付きストラップ。
【請求項２】
金属装飾品は、銀、金、合金であって、表面に装飾形状を施しているもの、又は金属チャーム、あるいはピル収納容器であることを特徴とする請求項１に記載の天然石付きストラップ
【請求項３】
天然石は、アメジスト、ガーネット、シトリン、ヒスイ、ペリドット、フローライト、コハク、レッドスピネル、水晶、モルバダイト、オニキス、ダイオプサイト、アクアマリン、アゲート、アマゾナイト、オパール、カイヤナイト、ヒスイ、ムーンストーン、ラブラドライト、ルビー、ダイヤモンド、クオーツ、ラピスラズリ、ターコイズ、タイガーアイ、ペリドッであることを特徴とする請求項１に記載の天然石付きストラップ
【請求項４】
ストラップ本体の長さが、4〜70ｃｍの範囲である請求項１から３のいずれかに記載の天然石付きストラップ。
【請求項５】
装飾具が、天然石、又は宝石の大きさとして、一粒が3ｍｍから60ｍｍであって、１〜１０個連なっていることを特徴とする請求項１から４のいずれかに記載の天然石付きストラップ。
【考案の詳細な説明】
【技術分野】
【０００１】
本考案は、ファッション性に優れ高級感がある天然石付きストラップに関する。
【背景技術】
【０００２】
携帯電話ストラップは、今現在、多くの人がつけておりますが景品でもらった物であったり、マスコット等、どちらかと言うとセンスのあまり良くないものが多い。
また、天然石の携帯ストラップは、石を数珠つなぎにしただけのものがほとんどでありファッション性に乏しかった。
【０００３】
携帯がこれだけ普及しているのにも関わらず、おしゃれな大人の女性がつけるような、高級感のある携帯ストラップはほとんど見当たらない。
古くから安産や受験合格のお守りとして珍重されているトンネル貫通石を携帯電話用ストラップ本体の一部に取り付け、アクセサリー感覚で持ち歩けることを特徴とする携帯電話ストラップが提案されている（特許文献２参照）。
【０００４】
爪の表面を粗く磨くやすり面と、爪の表面を鏡面磨きできる微細研磨粉を表面に付着させた鏡面磨き面とを有する小型の爪磨き本体にストラップを取付けて、衣服・ベルト・カバン・携帯電話機又はキーホルダーに吊って保持できるようにした爪磨き装身具が提案されている（特許文献３参照）。しかし宝石と金属装飾板とが連なったストラップは存在していない。
【先行技術文献】
【特許文献】
【０００５】
【特許文献１】実登第３０７７６７７号
【特許文献２】実登第３１４７４６４号
【特許文献３】実登第３１１２５３２号
【考案の概要】
【考案が解決しようとする課題】
【０００６】
本考案は、このような事情に鑑みなされたもので、天然石を用い、ファッション性に優れ高級感がある携帯電話用ストラップの提供を、その目的とする。
おしゃれな携帯ストラップを求めるお客様のニーズを満たしたいと考えた。また、ピルケース等を携帯ストラップにつけることにより、単にファッション性だけでなく実用性も高める。ピルケースには薬の他、ピアス等を収納したりもできる。
【課題を解決するための手段】
【０００７】
前記目的を達成するために、本考案の携帯電話用ストラップは、天然石と、金等の金属装飾品がついている組み合わせの携帯ストラップであるという構成をとる。天然石と金属の装飾品で構成されている天然石付きストラップである。
金属装飾品は、銀、金、合金であって、表面に装飾形状を施しているもの、又は金属チャーム、あるいはピル収納容器である。ストラップ本体の長さが、4〜70ｃｍの範囲である天然石付きストラップである。
装飾具が、天然石、又は宝石の大きさとして、一粒が3ｍｍから60ｍｍであって、１〜１０個連なっている。
【０００８】
天然石と金属装飾部分から組み合わせられていることにより、本考案の携帯電話用ストラップは、ファッション性に優れ、高級感を出すことが可能となる。
高級感を出すために、前記装飾具は、天然石・宝石・真珠を用いる。天然石・宝石としては、例えば、アメジスト、ガーネット、シトリン、ヒスイ、ペリドット、フローライト、コハク、レッドスピネル、水晶、モルバダイト、オニキス、ダイオプサイト、アクアマリン、アゲート、アマゾナイト、オパール、カイヤナイト、ヒスイ、ムーンストーン、ラブラドライト、ルビー、ダイヤモンド、クオーツ、ラピスラズリ、ターコイズ、タイガーアイ、ペリドット等がある。さらに人工石として、合成ガーネット、チェリークオーツ等も、また、真珠としては、例えば、海水パール、淡水パール等も使用することができる。
【０００９】
本考案の携帯電話用ストラップにおいて、金属装飾品は、金属パーツ・チャームの他、ピル収納容器等も含む。
【考案の効果】
【００１０】
以上のように、本考案の携帯電話用天然石付きストラップは、ファッション性に優れ高級感を有する。若いおしゃれな女性や男性に最適であり、プレゼントにも喜ばれるような高級感を醸し出すという効果がある。
【図面の簡単な説明】
【００１１】
【図１】本考案の天然石ビーズとピルケース付ストラップの斜視図である。
【図２】本考案の天然石ビーズと金属パーツと金属装飾品付ストラップの斜視図である。
【図３】本考案の天然石ビーズと金属装飾品付ストラップの斜視図である。
【図４】本考案の天然石ビーズと金属ビーズと天然石トップ付きストラップの斜視図である。
【図５】本考案の天然石ビーズと金属ビーズと、金属装飾品付ストラップの斜視図である。
【考案を実施するための形態】
【００１２】
本考案の携帯電話用ストラップの例を、図面を参照しながら以下に説明する。  
図１〜図５に、本考案の携帯電話用ストラップの一例を示す。ストラップ本体に使用する天然石の玉の大きさは、特に制限されず、デザインにより適宜決定されるが、例えば、３〜４0ｍｍの範囲、好ましくは4〜1５ｍｍの範囲である。金属装飾品の部分も、デザインにより適宜決定されるが、例えば、８〜60ｍｍくらいが好ましいが。特にデザイン的によっては、適宜選択できる。
【００１３】
また、トップ部分は、金属装飾品（ピルケース含む）のみならず、天然石や白蝶貝・黒蝶貝等の場合もある。たとえば、天然石のドロップ型、ハート型、白蝶貝のクロス型、羽モチーフ、などが使用できる。
天然石または貝の大きさは、金属装飾品と同様、８〜60ｍｍが好ましいが、デザインによっては、適宜選択できる。
【実施例１】
【００１４】
図１に示すように、ストラップ金具２に、直径12ｍｍの天然石ビーズ４（タイガーアイ丸玉）に、ワイヤーを通して、めがね留めをした。それに、天然石ビーズ４´（約10×8×6mmのタンブルカットのシトリン）を同じくめがね留めし、天然石ビーズ４（タイガーアイ丸玉）とつなげた。
【００１５】
その先に、直径10ｍｍ、長さ40mmの金属装飾品７（ピルケース）をワイヤーで同じくめがね留めし、ストラップとし、携帯電話用ストラップとした。このストラップを赤色の携帯電話に取り付けた場合、携帯電話が引き立って見られた。
【実施例２】
【００１６】
図２に示すようにひも付きストラップ金具２に、ワイヤー３を通し、つぶし玉９で留めた。さらにワイヤー３に天然石ビーズ４（天然ガーネット丸玉直径４ｍｍ）と、２ｍｍのシルバービーズ８と、花形のピュータービーズ５と、その後３ｍｍのシルバービーズ８を通した。同じ順番で３度繰り返して、最後に、天然石ビーズ４（ガーネット丸玉4mm）取り付けた。これに蝶の金属パーツ６とワイヤー３に通し、つぶし玉でつぶして固定し、ストラップとした。この携帯電話用ストラップを赤色の携帯電話に取り付けた場合、携帯電話がおしゃれになった。
【実施例３】
【００１７】
図３に示すようにひも付きストラップ金具２に、ワイヤー３を通し、つぶし玉９で留めた。ワイヤー３にシルバービーズ８、天然石ビーズ４（オニキスカット丸玉直径4mm）に通し、同様に3回繰り返した。そして金属装飾パーツ６（この場合はバリシルバービーズ直径約10mm）を取り付けた。天然石ビーズ４（この場合はオニキス）とシルバービーズ８を交互に連続して通し、輪を作った。リング状につないだものの先端にたて25mm横27mmほどの天然石４´（この場合ハート型ヘマタイト）を取り付けた。この携帯電話用ストラップを赤色の携帯電話に取り付けた場合、携帯電話がおしゃれになった。
【実施例４】
【００１８】
図４に示すようにひも付きストラップ金具２に、ワイヤー３を通し、つぶし玉９で留めた。さらにワイヤー３に天然石ビーズ４（オニキス、レクタングルカット10×8×4mm）と、２ｍｍのシルバービーズ８と、天然石４´（黒曜石丸玉4mm）８を通した。同じ順番で３度繰り返した。これに蝶の金属パーツ６とワイヤー３に通し、つぶし玉でつぶして固定し、ストラップとした。この携帯電話用ストラップを携帯電話に取り付けた場合、携帯電話がおしゃれになった。
【実施例５】
【００１９】
図５に示すようにひも付きストラップ金具２に、ワイヤー３を通し、金属装飾パーツ６（この場合は金属製ビーズ直径約10mm）を通した。その後、天然石ビーズ４（この場合はガーネット）とシルバービーズ８を交互に通し、輪を作った。
そして金属装飾パーツ６（この場合はバリシルバービーズ直径約１０ｍｍ）を取り付けた。天然石ビーズ４（この場合はオニキス）とシルバービーズ８を交互に連続して通し、輪を作った。トップに、金属装飾品６（この場合はとかげ、横１８ｍｍたて２６ｍｍ）をつけ、ストラップとした。この携帯電話用ストラップを携帯電話に取り付けた場合、携帯電話がおしゃれになった。
【００２０】
ストラップ本体の長さは、全長４０ｍｍ〜２００mmの範囲であり、好ましくは４０〜１４０ｍｍの範囲である。また、金属装飾部分や、パーツ等の金属もデザインのアクセントとなるから、その形状も制限されず、もちろん色彩も制限されない。例えば、金属の色を金色にすると、華やかな感じとなる。また、色をシルバーにすると、落ち着いた感じとなる。
【００２１】
以上、本考案の携帯電話用ストラップの例を説明したが、本考案は、これらの例に限定されない。例えば、ストラップ本体の装飾具は、金属装飾品・天然石に限定されず、パールや宝石でもよい。
【符号の説明】
【００２２】
１ ひも
２、取付金具
３、ワイヤー
４、天然石ビーズ
４’、天然石ビーズ
５、金属パーツ
６、金属装飾品
６’、金属装飾品
７、ピルケース
８、シルバービーズ
９、つぶし玉
【図１】
0003165217.tif 000003
【図２】
0003165217.tif 000004
【図３】
0003165217.tif 000005
【図４】
0003165217.tif 000006
【図５】
0003165217.tif 000007
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
球形、菱形、正方形、長方形、楕円形、多角形、なつめ形、しずく形の中から選ばれた1種類〜3種類の形状である天然石と、２mm〜６０mmの大きさの金属装飾品と、ストラップ用金具とから構成されていることを特徴とする天然石付きストラップ。
【請求項２】
金属装飾品は、銀、金、合金であって、表面に装飾形状を施している板状、又は球状、又は塊状のもの、あるいは金属チャーム、又はピル収納容器であることを特徴とする請求項１に記載の天然石付きストラップ。
【請求項３】
天然石は、アメジスト、ガーネット、シトリン、ヒスイ、ペリドット、フローライト、コハク、レッドスピネル、水晶、モルバダイト、オニキス、ダイオプサイト、アクアマリン、アゲート、アマゾナイト、オパール、カイヤナイト、ヒスイ、ムーンストーン、ラブラドライト、ルビー、ダイヤモンド、クオーツ、ラピスラズリ、ターコイズ、タイガーアイ、また真珠・黒蝶貝・白蝶貝等であることを特徴とする請求項１、又は請求項２に記載の天然石付きストラップ。
【請求項４】
ストラップでの天然石と金属装飾品を通すワイヤーの長さが、４０〜１５０ｍｍの範囲である請求項１から請求項３のいずれかに記載の天然石付きストラップ。
【請求項５】
ワイヤーに通す 装飾用天然石、および装飾用金属の大きさは、２ｍｍから６０ｍｍの粒状であって、３〜１５個連なっていることを特徴とする請求項１から請求項４のいずれかに記載の天然石付きストラップ。
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
球形やしずく型（ドロップ型）等の形状の1種類〜3種類の天然石と、２mm〜６０mmの大きさの金属装飾品と、ストラップ用金具を、金属ワイヤーでつないで作り上げた天然石付きストラップ。
【請求項２】
金属装飾品は、銀、金、合金であって、表面に装飾形状を施している板状、又は球状、又は塊状のもの、あるいは金属チャーム、又はピル収納容器であることを特徴とする請求項１に記載の天然石付きストラップ。
【請求項３】
天然石は、ガーネット、シトリン、フローライト、コハク、レッドスピネル、ブラックスピネル、水晶、モルバダイト、オニキス、ダイオプサイト、アクアマリン、アゲート、アマゾナイト、アメシスト、オパール、カイヤナイト、ヒスイ、ムーンストーン、ラブラドライト、ルビー、ダイヤモンド、クオーツ、ラピスラズリ、ターコイズ、タイガーアイ、ルビー、トパーズ、プレナイト、ペリドット、黒曜石、真珠、貝（黒蝶貝・白蝶貝）であることを特徴とする請求項１、又は請求項２に記載の天然石付きストラップ。
【請求項４】
ストラップでの天然石と金属装飾品を通すワイヤーの長さが、４０〜１５０ｍｍの範囲である請求項１から請求項３のいずれかに記載の天然石付きストラップ。
【請求項５】
ワイヤーに通す天然石、および装飾用金属の大きさは、２ｍｍから６０ｍｍの粒状であって、３〜１５個連なっていることを特徴とする請求項１から請求項４のいずれかに記載の天然石付きストラップ。
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
球形・しずく型（ドロップ型）・楕円形（オーバル型）・ハート型・立方体の形状の1種類〜3種類の天然石と、２mm〜６０mmの大きさの金属装飾品と、ストラップ用金具を、金属ワイヤーでつないで作り上げた天然石付きストラップ。
【請求項２】
金属装飾品は、銀、金、合金であって、表面に装飾形状を施している板状、又は球状、又は塊状のもの、あるいは金属チャーム、又はピル収納容器であることを特徴とする請求項１に記載の天然石付きストラップ。
【請求項３】
天然石は、ガーネット、シトリン、フローライト、コハク、レッドスピネル、ブラックスピネル、水晶、モルバダイト、オニキス、ダイオプサイト、アクアマリン、アゲート、アマゾナイト、アメシスト、オパール、カイヤナイト、ヒスイ、ムーンストーン、ラブラドライト、ルビー、ダイヤモンド、クオーツ、ラピスラズリ、ターコイズ、タイガーアイ、ルビー、トパーズ、プレナイト、ペリドット、黒曜石、真珠、貝（黒蝶貝・白蝶貝）であることを特徴とする請求項１、又は請求項２に記載の天然石付きストラップ。
【請求項４】
ストラップでの天然石と金属装飾品を通すワイヤーの長さが、４０〜１５０ｍｍの範囲である請求項１から請求項３のいずれかに記載の天然石付きストラップ。
【請求項５】
ワイヤーに通す天然石、および装飾用金属の大きさは、２ｍｍから６０ｍｍの粒状であって、３〜１５個連なっていることを特徴とする請求項１から請求項４のいずれかに記載の天然石付きストラップ。